(57)【要約】【課題】ロギングデータを簡便に採集することができるＬＡＮ異常監視装置を提供する。【解決手段】異常信号を送信する異常接点出力部２１０ａを有するとともに電文を送信する端末２１０が接続されているＬＡＮ３０における異常を監視するＬＡＮ異常監視装置２０において、ＬＡＮ３０上の電文を蓄積記憶するロギングメモリ５と、ネットワークモニタモードに設定されるとＬＡＮ３０上の全電文を順次ロギングメモリ５に記憶するＬＡＮ送受信制御部１と、異常接点出力部２１０ａに信号線２１０ｂを介して接続され異常接点出力部２１０ａから異常信号を入力するＤＩ回路部２と、ＤＩ回路部２にて端末２１０の異常接点出力部２１０ａから異常信号を入力されるとＬＡＮ送受信制御手段１のネットワークモニタモードを停止させロギングメモリ５から電文をロギングデータとして採集するＣＰＵ４とを備えたものである。【選択図】図２
2008141327.tif 000002
【特許請求の範囲】
【請求項１】
異常信号を送信する異常接点出力部を有するとともに電文を送信する端末が接続されているＬＡＮにおける異常を監視するＬＡＮ異常監視装置において、
上記ＬＡＮ上の上記電文を蓄積記憶するロギングメモリと、
ネットワークモニタモードに設定されると上記ＬＡＮ上の全電文を順次上記ロギングメモリに記憶するＬＡＮ送受信制御部と、
上記異常接点出力部に接続され上記異常接点出力部から異常信号を入力する入力部と、
上記入力部にて上記端末の異常接点出力部から異常信号を入力されると上記ＬＡＮ送受信制御手段のネットワークモニタモードを停止させ上記ロギングメモリから電文をロギングデータとして採集するＣＰＵとを備えたことを特徴としたＬＡＮ異常監視装置。
【請求項２】
異常信号を送信する異常接点出力部を有するとともに電文を送信する端末が複数接続されているＬＡＮにおける異常を監視するＬＡＮ異常監視装置において、上記入力部は上記各端末の各異常接点出力部毎にそれぞれ接続されて配設され、上記ＣＰＵは上記入力部から異常信号が入力されると上記異常信号を入力した入力部に接続されている上記端末に対応する電文を上記ロギングメモリからロギングデータとして採集することを特徴とする請求項１に記載のＬＡＮ異常監視装置。
【発明の詳細な説明】
【技術分野】
【０００１】
この発明は、ＬＡＮシステム運用中における異常発生時のＬＡＮ異常監視装置に係り、特にロギングデータを簡便に採集することができるものである。
【背景技術】
【０００２】
従来のＬＡＮ異常監視装置は、ネットワークモニタモードに設定された装置内部のＬＡＮ送受信制御部で受信したＬＡＮ上の全パケットを、システムバスを経由してロギングメモリ上のリングバッファにサイクリックに記憶し、ＬＡＮ異常監視装置自身の障害検知機能で障害を検知するか、或いは障害発生通知パケットを受信するとネットワークモニタを停止し、障害発生直前のロギングデータを採集する（例えば、特許文献１参照）。
【０００３】
【特許文献１】特開平６−１３２９６０号公報
【発明の開示】
【発明が解決しようとする課題】
【０００４】
従来のＬＡＮ異常監視装置は、障害発生の検知を自身の障害検知機能、或いは障害発生通知パケットの受信をキックとするため、自身の障害検知機能範囲外の部分に関しては、障害発生通知パケットをネットワーク伝送するための伝送専用回線、および、障害発生通知パケットを送信する専用の端末が必要となり装置自体が複雑になるという問題点があった。
【０００５】
この発明は上記のような課題を解決するためになされたものであり、ロギングデータを簡便に採集することができるＬＡＮ異常監視装置を提供することを目的とする。
【課題を解決するための手段】
【０００６】
この発明は、異常信号を送信する異常接点出力部を有するとともに電文を送信する端末が接続されているＬＡＮにおける異常を監視するＬＡＮ異常監視装置において、
ＬＡＮ上の電文を蓄積記憶するロギングメモリと、
ネットワークモニタモードに設定されるとＬＡＮ上の全電文を順次ロギングメモリに記憶するＬＡＮ送受信制御部と、
異常接点出力部に接続され異常接点出力部から異常信号を入力する入力部と、
入力部にて端末の異常接点出力部から異常信号を入力されるとＬＡＮ送受信制御手段のネットワークモニタモードを停止させロギングメモリから電文をロギングデータとして採集するＣＰＵとを備えたものである。
【発明の効果】
【０００７】
この発明のＬＡＮ異常監視装置は、異常信号を送信する異常接点出力部を有するとともに電文を送信する端末が接続されているＬＡＮにおける異常を監視するＬＡＮ異常監視装置において、
ＬＡＮ上の電文を蓄積記憶するロギングメモリと、
ネットワークモニタモードに設定されるとＬＡＮ上の全電文を順次ロギングメモリに記憶するＬＡＮ送受信制御部と、
異常接点出力部に接続され異常接点出力部から異常信号を入力する入力部と、
入力部にて端末の異常接点出力部から異常信号を入力されるとＬＡＮ送受信制御手段のネットワークモニタモードを停止させロギングメモリから電文をロギングデータとして採集するＣＰＵとを備えたので、ロギングデータを簡便に採集することができる。
【発明を実施するための最良の形態】
【０００８】
実施の形態１．
以下、本願発明の実施の形態について説明する。図１はこの発明の実施の形態１におけるＬＡＮ異常監視装置を用いたＬＡＮシステムの構成を示す図、図２は図１に示したＬＡＮ異常監視装置の構成を示す図である。図において、ＬＡＮ３０には複数の端末２１０、２１１、２１２、２１３がそれぞれ接続されている。そして、各端末２１０、２１１、２１２、２１３は各端末２１０、２１１、２１２、２１３の異常を知らせるための異常信号を送信するための異常接点出力部２１０ａ、２１１ａ、２１２ａ、２１３ａが備えられている。そして、ＬＡＮ異常監視装置２０は、ＬＡＮ３０に接続されＬＡＮ３０上の各電文を受信するネットワークモニタモードに設定されるＬＡＮ送受信制御部１と、ＬＡＮ３０上の各電文を順次蓄積記憶する例えばＲＡＭにてなるロギングメモリ５とを備える。
【０００９】
さらに、各端末２１０、２１１、２１２、２１３の各異常接点出力部２１０ａ、２１１ａ、２１２ａ、２１３ａに例えばメタル線にて形成される信号線２１０ｂ、２１１ｂ、２１２ｂ、２１３ｂを介して接続され各異常接点出力部２１０ａ、２１１ａ、２１２ａ、２１３ａからの異常信号を入力する入力部としてのＤＩ回路部２と、ＤＩ回路部２からの異常信号の入力を受信し、かつ、ＬＡＮ送受信制御部１の動作を制御し、かつ、異常時にロギングメモリ５からロギングデータの読み出しを行うＣＰＵ４と、ＬＡＮ送受信制御部１とロギングメモリ５とＤＩ回路部２とＣＰＵ４とを接続するシステムバス３とから構成されている。尚、ネットワークモニタモードとは、ＬＡＮ３０上の全ての電文（パケット）をロギングメモリ５上のＲＡＭ空間に配置された指定の領域に転送される状態を示している。
【００１０】
次に上記のように構成された実施の形態１のＬＡＮ異常監視装置の動作について説明する。まず、ＬＡＮ送受信制御部１はＬＡＮ３０に直接接続され、ＣＰＵ４の制御で、ネットワークモニタモードと停止モードとのいずれかで動作する。よって、ＣＰＵ４により通常はネットワークモニタモードに設定され、ＬＡＮ３０上の全電文は、リングバッファの先頭バッファから順次１パケットずつ蓄積され、最後のバッファまで蓄積されると、次のパケットは再度先頭のバッファから上書きされ蓄積されていく。このため、異常発生時にはＬＡＮ送受信制御部１のネットワークモニタモードを直ちに停止モードに変更しなければ、異常発生直前にリングバッファに記憶されたロギングデータは上書きされて失われてしまう。
【００１１】
次に、ＬＡＮ３０上の各端末２１０、２１１、２１２、２１３には、各異常接点出力部２１０ａ、２１１ａ、２１２ａ、２１３ａから異常発生時には、各信号線２１０ｂ、２１１ｂ、２１２ｂ、２１３ｂを介してＤＩ回路部２に対して異常発生の信号が直接送信される。そして、ＣＰＵ４ではＤＩ回路部２が信号を受信したことを監視して、信号の受信を検知すると直ちに、ＣＰＵ４からＬＡＮ送受信制御部１に対してネットワークモニタモードを停止モードに変更する指示を行う。次に、ＣＰＵ４はロギングメモリ５からロギングデータの読み出しを行い処理を終了する。そして、このようにして読み出されたロギングデータを基に異常発生の原因が究明される。
【００１２】
上記のように構成された実施の形態１のＬＡＮ異常監視装置によれば、ＬＡＮ異常監視装置内のロギングメモリにＬＡＮ上の電文を記憶しておき、異常発生時にＬＡＮ送受信制御部のネットワークモニタモードを停止して停止モードとしてロギングメモリへの記憶を停止し、ロギングメモリから異常時におけるロギングデータを読み出す。よって、異常時におけるロギングデータが異常発生時点で直ちに取得できるため、異常発生時のロギングデータを確実に容易に取得でき、異常発生原因の調査を迅速に行うことができる。さらに、この異常の検出を各端末の異常接点出力部に直接接続されているＤＩ回路にて検出しているため簡便に行うことができ、装置構成が容易となり、異常時におけるロギングデータの採集を低コストにて行うことができる。
【００１３】
実施の形態２．
上記実施の形態１においては、ＤＩ回路部をＬＡＮ障害監視装置に１つ備える例を示したがこれに限られることはなく、本実施の形態２においては、図３に示すように、複数の端末２１０、２１１が存在する場合、各端末２１０、２１１の異常接点出力部２１０ａ、２１１ａ毎に各信号線２１０ｂ、２１１ｂを介してＤＩ回路部２ａ、２ｂをそれぞれ設け、異常接点出力部２１０ａ、２１１ａからの異常信号を区別して取り込む。尚、上記実施の形態１と同様の部分は同一符号を付して説明を省略する。また、ＬＡＮ３０および端末２１０、２１１等の構成は図１と同様であるため説明を省略する。
【００１４】
次に上記のように構成された実施の形態２におけるＬＡＮ障害監視装置の動作について説明する。尚、上記実施の形態１と同様の部分においてはその説明を適宜省略する。まず、ＣＰＵ４においては、信号を受信したＤＩ回路部２ａ、２ｂを区別して判断する。そしてＣＰＵ４では、受信したＤＩ回路部２ａ、２ｂに対応する電文、すなわちＤＩ回路部２ａ、２ｂに対応した端末２１０、２１１に対応する電文をロギングメモリ５からロギングデータとして採集する。
【００１５】
上記のように構成された実施の形態２によれば、上記実施の形態１と同様の効果を奏するのはもちろんのこと、端末毎の異常接点出力部を個別に取り込むことができるため、異常を発生した端末を特定することができる。よって、ＣＰＵにおいて、ロギングデータのフィルタリングを行うことができ、異常発生原因の調査に必要不可欠なロギングデータのみを迅速に採集することが可能となり、異常発生原因の敏速な調査が可能となる。
【図面の簡単な説明】
【００１６】
【図１】この発明の実施の形態１のＬＡＮ異常監視装置を備えたシステムの構成を示す図である。
【図２】図１に示したＬＡＮ異常監視装置の構成を示す図である。
【図３】この発明の実施の形態２のＬＡＮ異常監視装置の構成を示す図である。
【符号の説明】
【００１７】
１  ＬＡＮ送受信制御部、２，２ａ，２ｂ  ＤＩ回路、４  ＣＰＵ、
５  ロギングメモリ、２０  ＬＡＮ異常監視装置、
２１０，２１１，２１２，２１３  端末、
２１０ａ，２１１ａ，２１２ａ，２１３ａ  異常接点出力部、
２１０ｂ，２１１ｂ，２１２ｂ，２１３ｂ  信号線、３０  ＬＡＮ。
【図１】
2008141327.tif 000003
【図２】
2008141327.tif 000004
【図３】
2008141327.tif 000005